(57)【要約】【課題】表面に光ファイバ載置用の溝が形成された基台と、溝の形成された基台の表面を開閉自在に覆う蓋とで構成された光ファイバフォルダにおいて、光ファイバ心線を溝の長手方向に沿って移動させるとき、一旦、蓋を開き、光ファイバ心線の保持を解除してから光ファイバを移動させる必要があった。【解決手段】蓋が閉じた状態で、蓋の後部が基台と所定隙間を形成するように形成され、前記後部の蓋が前記隙間を狭めるように押込まれることにより、蓋の前部が浮き上がるように構成されたことを特徴とすることを特徴とする。これにより、光ファイバ心腺が溝内に保持される保持力が軽減され、蓋を閉じた状態で必要な心線のみを溝の長手方向に沿って自在に移動させることができる。【選択図】  図１
2007057698.tif 000002
【特許請求の範囲】
【請求項１】
表面に光ファイバ載置用の溝が形成された基台と、溝の形成された基台の表面を開閉自在に覆う蓋とで構成された光ファイバホルダにおいて、蓋が閉じた状態で、蓋の後部が基台と所定隙間を形成するように形成され、前記後部の蓋が前記隙間を狭めるように押込まれることにより、蓋の前部が浮き上がるように構成されたことを特徴とする光ファイバホルダ。
【請求項２】
蓋は基台の側部にヒンジによって固定され、そのヒンジの枢軸が、蓋が隙間を狭めるように押込まれることを妨げないガタツキを持っていることを特徴とする請求項１に記載の光ファイバホルダ。
【請求項３】
溝の側部にマグネット（磁石）が配置されたことを特徴とする請求項１または請求項２に記載の光ファイバホルダ。
【発明の詳細な説明】
【技術分野】
【０００１】
本発明は、光ファイバ心線の端部を把持する光ファイバホルダに関するものである。
【背景技術】
【０００２】
このような光ファイバホルダは、光ファイバ心線を把持してその光ファイバの被覆層を除去してその中の裸光ファイバを露出させたり、その裸光ファイバを一定長に切断させたり、光ファイバ相互の融着接続する際に光ファイバ心線を保持して裸光ファイバの端部を放電電極間に配置させるため等に用いられる。
【０００３】
この種の光ファイバホルダは、種々知られている。（例えば、特許文献１〜５参照）
図４は光ファイバ融着接続装置で使用される光ファイバホルダ１０の一例を示したものであり、例えば直方体形状の基台２０と、基台２０の表面を覆う蓋３０とで構成されている。
【０００４】
基台２０の表面には、長手方向に延びる溝２１が形成されている。溝２１は、段差２１ａを境に一端側に深溝２１ｂが形成され他端側に浅溝２１ｃが形成されている。深溝２１ｂは、例えば図示しない外径０．２５ｍｍの光ファイバ心線が１本若しくは複数本配置され、又は複数本の光ファイバ心線をテープ状に一括被覆した光ファイバテープ心線が配置される幅を有している。また、浅溝２１ｃは前記光ファイバテープ心線数の裸光ファイバを配置させる幅を有している。更に基台２０には、深溝２１ｂと浅溝２１ｃのそれぞれの両サイドにマグネット２２が２個ずつ、合計８個、埋め込まれている。
【０００５】
蓋３０は、深溝２１ｂ側と浅溝２１ｃ側のものがそれぞれ蓋３０ａ・３０ｂとして用意され、それぞれの蓋３０ａ・３０ｂは、基台２０の側面にヒンジ１４ａ・１４ｂを介して、個別に前記溝２１を覆ったり、開いたりするように開閉自在に配置されている。蓋３０ａ・３０ｂには、それぞれ溝２１ｂ、２１ｃに対応して長手方向に延びる弾性状の突条３１ａ・３１ｂが形成されている。この突条３１ａ・３１ｂは、蓋３０を閉じた際に、溝２１に収容された光ファイバ心線を溝２１内に押さえ付けるものである。また蓋３０はスレンレス等の磁性体で構成され、蓋３０を閉じたときに前記マグネット２２により吸引され、溝２１中に配置された光ファイバ心線を溝２１内に突条３１を介して安定的に固定させる。
【０００６】
【特許文献１】特開平５−２２４０２３号公報
【特許文献２】特開２００１−１３３６５３号公報
【特許文献３】特開２００２−１６２５３０号公報
【特許文献４】特開２００３−１８５８８４号公報
【特許文献５】特開２００４−１４５１９６号公報
【発明の開示】
【発明が解決しようとする課題】
【０００７】
しかしながら、光ファイバホルダの溝内に光ファイバ心線を配置させて蓋を閉じた後に、光ファイバ心線を溝の長手方向に沿って移動させたい場合がある。この場合、従来の光ファイバホルダでは、一旦、蓋を開き、光ファイバ心線の保持を解除してから光ファイバを溝の長手方向に沿って移動させ、その後に、蓋を閉じて光ファイバ心線を溝内に固定する必要があった。
【課題を解決するための手段】
【０００８】
本発明は、かかる点に鑑みなされたもので、表面に光ファイバ載置用の溝が形成された基台と、溝の形成された本台の表面を開閉自在に覆う蓋とで構成された光ファイバホルダにおいて、蓋が閉じた状態で、蓋の後部が基台と所定隙間を形成するように蓋の表面に窪みが形成され、前記後部の蓋が前記隙間を狭めるように押込まれることにより、蓋の前部が浮き上がるように構成されたことを特徴とする。
【発明の効果】
【０００９】
本発明は、基台と蓋との間に形成された前記隙間を狭めるように蓋を基台側に押込むことにより蓋の前部が浮き上がり、これにより、光ファイバ心腺が溝内に保持される保持力が軽減され、蓋を閉じた状態で必要な心線のみを溝の長手方向に沿って自在に移動させることができる。
【発明を実施するための最良の形態】
【００１０】
本発明は以下の実施形態を採用することができる。
蓋は基台の側部にヒンジによって固定され、そのヒンジの枢軸が、蓋が隙間を狭めるように押込まれることを妨げないガタツキを持っていることを特徴とする。これにより、基台と蓋との間に形成された隙間を狭めるように蓋を容易に基台側に押込むことができる。
また、溝の側部にはマグネット（磁石）が配置されたことを特徴とする。これにより、蓋を吸引して確実に光ファイバを基台の溝内に配置させることができる。
【実施例１】
【００１１】
以下、本発明を図示した実施例によって本発明を詳細に説明する。図１において、図４と同一符号のものは図４と同一物を指し、その主な機能も同一であるので、その説明を省略する。本実施例は図４の従来例に比較して、蓋３０ｂが基台２０の表面を覆った状態、即ち、蓋３０ｂが閉じた状態で、蓋３０ｂの後部が基台２０と所定隙間を形成するように蓋３０ｂに窪みｋが形成されている点が異なっている。
【００１２】
即ち、図２は、蓋が閉じた定常状態を示したもので、蓋３０ｂが閉じた状態で、蓋３０ｂの後部が、蓋３０ｂと基台２０との間に隙間ｄを形成するように窪みｋが形成されている。この状態では、浅溝２１ｃ内に配置される図示しない裸光ファイバはマグネット２２の吸引力で蓋３０ｂが吸引され、裸光ファイバは突条３１ｂを介して浅溝２１ｃ内に強固に抑え込まれる。従って、この状態では裸光ファイバを浅溝２１ｃの長手方向に沿って移動させることはできない。
【００１３】
図３は蓋３０ｂが閉じた状態で図示しない裸光ファイバを浅溝２１ｃ上で移動可能にした状態を示したものである。即ち、蓋３０ｂの後部を前記隙間ｄが狭まるように、即ち蓋３０ｂの後部に押圧力Ｐを加えて基台２０側に押込むことにより、蓋３０ｂが窪みｋの境ｋ'を中心にして回転し、蓋３０ｂの前部３０ｂ'が浮き上がった状態を示したものである。この状態では、蓋３０ｂの前部３０ｂ'が浮き上がることにより、浅溝２１ｃ内に配置された図示しない裸光ファイバに加えられる押圧力が軽減、若しくは排除されて、裸光ファイバは浅溝２１ｃ内でその長手方向に移動することができる。なお、ヒンジ１４ｂは、その回転軸が、蓋３０ｂが隙間ｄを狭めるように押込まれることを妨げないガタツキを持っている。
【００１４】
本実施例の光ファイバホルダ１０を実際に使用する場合は、始め、蓋３０ａ・３０ｂを開いて溝２１を露出させた状態にする。
この状態で、被覆層が除去されて端部に裸ファイバを有する光ファイバ心線を、浅溝２１ｃ上に裸ファイバ、深溝２１ｃ上に被覆層部が位置するように必要本数分だけ戴置する。その後、両蓋３０ａ・３０ｂを閉じて、光ファイバ心線を溝２１上に固定・把持する。
この状態で、溝２１上に戴置された光ファイバが所定の位置からずれており、光ファイバ心線を溝２１の長手方向に移動させたい場合は、蓋３０ａのみを開き、蓋３０ｂは閉じた状態のままにし、蓋３０ｂの後部に押圧力Ｐを加えて蓋３０ｂの前部３０ｂ'を浮き上がらせる。このように蓋３０ｂの前部３０ｂ'を浮き上がらせると、裸光ファイバを把持する把持力が緩和または排除され、光ファイバ心線を溝２１に沿って容易に移動させることができる。光ファイバ心線を溝２１上で所定の位置まで移動させた後は、前記押圧力Ｐを解除して、裸光ファイバを再度溝２１ｃ内で把持し、その後、蓋３０ａを閉じて被覆層付部分を深溝２１ｂ内に把持・固定させる。このように本発明は、蓋３０ｂを閉じた状態で光ファイバ心線を溝に沿って移動させることができ、光ファイバ心線の配置を適切に行うことができる。
【００１５】
[他の実施例]
上記実施例は光ファイバ融着接続装置で使用される光ファイバホルダの例を説明したが、本発明は、光ファイバ切断機に用いられる光ファイバホルダや、被覆除去機等に用いられる光ファイバ等、種々の光ファイバホルダに採用することができる。
また、上記実施例は蓋が２連に配置された光ファイバホルダの一方の蓋に本発明を適用した場合を説明したが、２以上の蓋が連接されて配置されたそれぞれの蓋に本発明を採用するようにしても良く、また、１個の蓋のみで構成された光ファイバホルダに採用してもよい。
【図面の簡単な説明】
【００１６】
【図１】本発明の一実施例を示す斜視図。
【図２】イは図１に示す実施例の要部正面図、ロは右側面図。従来の一例の動作説明図。
【図３】図１に示す実施例の要部動作正面図。
【図４】従来の一例を示す斜視図。
【符号の説明】
【００１７】
１０    光ファイバホルダ
１４ａ    ヒンジ
１４ｂ    ヒンジ
２０    基台
２１    溝
２１ａ    段差
２１ｂ    深溝
２１ｃ    浅溝
２２    マグネット
３０    蓋
３０ａ    蓋
３０ａ    蓋
３０ｂ    両蓋
３１    突条
３１ａ    突条
３１ｂ    突条
ｄ    隙間
ｋ    境
Ｐ    押圧力
【図１】
2007057698.tif 000003
【図２】
2007057698.tif 000004
【図３】
2007057698.tif 000005
【図４】
2007057698.tif 000006